(57)【特許請求の範囲】
【請求項１】
主回路接点の開閉機構部が、そのフレームにロータリー式の開閉操作用ハンドルと歯車を介して伝動連結したトグル歯車、該トグル歯車と主接点開閉レバーとの間を連繋するトグルリンク機構、および該トグルリンク機構と過電流引外し装置との間を連繋するラッチおよびラッチ受けからなるラッチ機構を組付け、過電流引外し装置の動作に応動してラッチを釈放し、主回路接点をトリップ動作させるようにした回路しゃ断器に適用し、トリップ動作時に前記ロータリー式ハンドルをＯＮ位置とＯＦＦ位置の中間に設定したトリップ表示位置に停止させるようにした回路しゃ断器のトリップ表示装置において、
ロータリー式ハンドルをトリップ表示位置に制止させる手段として、前記ラッチとトグルリンク機構との間に架け渡した連結ピンをトリップ動作位置に拘束保持してハンドルをトリップ表示位置に制止させる板状のトリップ保持部材を後付け部品として備え、該トリップ保持部材を開閉機構部のフレーム壁面とその内部機構との間の隙間に挿入して定位置に装着したことを特徴とする回路しゃ断器のトリップ表示装置。
【請求項２】
請求項１記載のトリップ表示装置において、トリップ保持部材が、弾性を有する板材の下端にラッチと連動する連結ピンの移動軌跡に突き出す係合突起を形成し、かつ板材の板面には左右方向のスリット状溝を形成して上下方向にばね性を付与した構造になることを特徴とする回路しゃ断器のトリップ表示装置。
【請求項３】
請求項２記載のトリップ表示装置において、トリップ保持部材の板材に、開閉機構部への介装位置でラッチの支軸上に係合する位置用の支持アームを形成したことを特徴とする回路しゃ断器のトリップ表示装置。
【請求項４】
請求項１ないし３のいずれかに記載のトリップ表示装置において、トリップ保持部材を金属板で構成したことを特徴とする回路しゃ断器のトリップ表示装置。
【発明の詳細な説明】
【０００１】
【発明の属する技術分野】
本発明は、低圧配電回路に適用するオートブレーカなどの回路しゃ断器に適用し、その主回路接点をＯＮ，ＯＦＦ操作するロータリー式ハンドルを、トリップ動作時にＯＮ位置とＯＦＦ位置の中間位置に制止してトリップ表示を行うようにした回路しゃ断器のトリップ表示装置に関する。
【０００２】
【従来の技術】
まず、頭記のオートブレーカを例に、本発明の実施対象となる回路しゃ断器の構造を図３(a) 〜(d) で説明する。図３(a) において、１はしゃ断器ケース、２は主回路接点のしゃ断部、３は主回路接点の開閉機構部、４は過電流引外し装置、５はケース１の上面に装着した開閉操作用のロータリー式ハンドル、６はロータリー式ハンドル５と開閉機構部３とを連繋する伝動歯車機構である。
【０００３】
ここで、開閉機構部３は、図３(b),(c) で示すようにフレーム（組立枠）７に、トグル歯車３ａ，しゃ断部２に対峙する開閉レバー３ｂ，トグルギア３ａと開閉レバー３ｂの間を連繋するトグルリンク機構３ｃ，およびトグルリンク機構３ｃと過電流引外し装置４との間を連繋するラッチ機構３ｄなどを組付けた構成になり、トグルギア３ａがクラッチ歯車と組合せた伝動歯車（傘歯歯車）８を介してロータリー式操作ハンドル５のハンドル軸に伝動結合されている。
【０００４】
なお、前記構造の開閉機構部３は、図示のロータリー式操作ハンドル、およびロータリー式と異なるロッカー式操作ハンドル（ハンドルを左右に倒してＯＮ，ＯＦＦ操作する方式）との互換性を有し、回路しゃ断器にロッカー式操作ハンドルを採用する場合には、図示のトグル歯車３ａをロッカー式ハンドルに置き換えて使用するようにしており、その開閉機構部の詳細構造，および動作は本発明と同一出願人より先に出願した特開２００１−２３４９９号公報に開示されている。また、ロータリー式ハンドル５の構造については、本発明と同一出願人より出願した特願２０００−３０２１５４号に詳しく述べられている。
【０００５】
すなわち、図３(b) において、トグルリンク機構３ｃはヒンジ結合した二枚のリンク３ｃ-1と３ｃ-2からなり、リンク３ｃ-1の上端はトグル歯車３ａの先端にピン結合され、リンク３ｃ-2の下端に取付けた駆動ピンが開閉レバー３ｃに対峙している。また、ラッチ機構３ｄはラッチ３ｄ-1とラッチ受け３ｄ-2の組合せからなり、ラッチ３ｄ-1はその一端をトグル歯車３ａと同じ軸上に軸支し、付勢ばね（図示せず）により先端の爪部をラッチ受け３ｄ-2に係止するようにしており、さらにラッチ３ｄ-1と前記したトグルリンク３ｃ-1／３ｃ-2の中間ヒンジ点との間に跨がってＵ字形の連結ピン３ｅが架け渡してある。なお、リンク３ｃ-1／トグル歯車３ａの連結ピン、ラッチ３ｄ-1に結合したＵ字形連結ピン３ｅの一端、およびリンク３ｃ-2の下端に取付けた駆動ピンは、それぞれ図３(c) に示した開閉機構部３のフレーム７に形成したレール溝７ａ，７ｂ，７ｃで案内支持するようにしている。
【０００６】
また、図中に表したスプリング（引っ張りコイルばね）３ｆは、回路しゃ断器がトリップ動作した際に、トグル歯車３ａ（もしくはロッカー式操作ハンドル）を後記のトリップ表示位置に制止保持させるために、トグル歯車３ａとトグルリンク機構３ｃとの連結ピンと開閉機構部４のフレーム７と間に架け渡した付勢ばねである。
【０００７】
また、開閉レバー３ｂはその支軸３ｂ-1が開閉機構部３のフレーム７に軸支され、その軸上に設けた主開閉ばね（捩じりコイルばね）３ｂ-2で主回路接点を開極する方向に付勢している。
一方、主回路接点のしゃ断部２は、図３(d) で示すように、固定接触子２ａ，橋絡型の可動接触子２ｂ，可動接触子ホルダ２ｃ，可動接触子２ｂの接触ばね（圧縮ばね）２ｄ，消弧板２ｅとの組立体からなり、可動接触子ホルダ２ｃの上端が前記した開閉レバー３ｂのレバー先端に対峙している。なお、図示は主回路接点が閉成したＯＮ状態を表しており、開閉レバー３ｂの先端は上方に後退した位置に保持されており、可動接触子２ｂは接触ばね２ｄのばね力を受けて固定接触子２ａに接触している。
【０００８】
次に、前記構成による開閉機構部３，ロータリー式ハンドル５のＯＮ，ＯＦＦ，トリップ動作時の状態を図４(a) 〜(c) に示す。すなわち、主回路接点が閉成しているしゃ断器ＯＮの状態では、図４(a) のようにハンドル５はＯＮ位置を指示してこの位置に保持されており、この状態から主回路接点を開極するようにハンドル５を手動でＯＮからＯＦＦ位置に回すと、図４(b) で示すように駆動歯車８を介してトグル歯車３ａが時計方向に回動し、これに従動して開閉機構部３のトグルリンク機構３ｃが反時計方向に回動して開閉レバー３ｂの拘束を解く。これにより、開閉レバー３ｂは主開閉ばねの蓄勢ばね力で時計方向に回動し、図３(d) に示した可動接触子ホルダ２ｃを叩いて主回路の可動接触子２ｂを開極させる。
【０００９】
また、前記とは逆にハンドル５をＯＦＦ位置（図４(b) 参照）からＯＮ位置（図４(a) 参照）に回すと開閉機構部３のリンク機構３ｃが時計方向に回動し、開閉レバー３ｂを主開閉ばね３ｂ-2に抗して押し下げる。これにより、開閉レバー３ｂが反時計方向に回動して可動接触子ホルダ２ｃから離脱し、これに応動して可動接触子２ｂは接触ばね２ｄのばね力を受けて閉極する。また、操作ハンドル５は開閉レバー３ｂの主開閉ばねの反力でＯＮ位置に保持され、主回路接点が閉成状態にあることを表示する。なお、このＯＮ，ＯＦＦ状態では、ラッチ機構３ｄのラッチ３ｄ-1はラッチ受け３ｄ-2に係止されて図示位置に保持されており、ラッチ３ｄ-1に結合したＵ字形連結ピン３ｅの支点は変位しない。
【００１０】
一方、回路しゃ断器の通電状態で、図３(a) に示した過電流引外し装置４が動作し、ラッチ機構３ｄのラッチ３ｄ-1とラッチ受け３ｄ-2との係合を釈放すると、図４(c) で表すようにラッチ３ｄ-1がばね付勢を受けて時計方向に揺動し、これに従動してＵ字形の連結ピン３ｅを介してトグルリンク３ｄ-1と３ｄ-2との中間ヒンジ点が矢印方向に変位する。これにより、前記のＯＦＦ操作時と同様に開閉レバー３ｂが時計方向に回動して主回路の可動接触子２ｂを開極させるようにトリップ動作する。
【００１１】
また、トリップ動作時には、ハンドルの位置から回路しゃ断器のトリップ動作状態を目視確認できるようにするために、従来では後記するトリップ表示装置を用いてハンドル５をＯＮ位置とＯＦＦ位置との中間に設定したトリップ表示位置に制止するようにしている。そして、回路しゃ断器のトリップ動作後に主回路接点を再投入するには、操作ハンドル５を停止しているトリップ表示位置から一旦ＯＦＦ位置に回し、トグルリンク機構３ｃ，連結ピン３ｅを介してラッチ３ｄ-1を反時計方向に押し上げ、その先端爪部をラッチ受け３ｄ-2に引っ掛けてリセットさせた後に、操作ハンドル５をＯＦＦからＯＮ位置に回して主回路接点を閉極させるようにする。
【００１２】
次に、回路しゃ断器のトリップ動作時に、ロータリー式ハンドル５をトリップ表示位置に制止保持するための従来におけるトリップ表示装置について述べる。すなわち、ロータリー式ハンドル，ロッカー式ハンドルに互換性を持たせた前記構成の開閉機構部３には、先記のようにロッカー式ハンドルをトリップ表示位置に停止させるための復帰ばね３ｆを装備している。
【００１３】
ここで、操作ハンドルにロッカー式ハンドルを採用して、該ロッカー式ハンドルを開閉機構部３に直接組付け（トグル歯車３ａに置き換える）た場合には、回路しゃ断器のトリップ動作時にロッカー式ハンドルがフリーの状態となるので、前記付勢ばね３ｆの引っ張りばね力を受けてロッカー式ハンドルはＯＮ位置とＯＦＦ位置の中間のトリップ表示位置に停止する。
【００１４】
これに対して、しゃ断器の開閉操作ハンドルにロータリー式ハンドル５を採用した回路しゃ断器では次のような問題がある。すなわち、特願２０００−３０２１５４号公報で述べられているように、ロータリー式ハンドルにはハンドルに組付けたクラッチ歯車の復帰用ばね（この復帰ばねを図４(a) に符号５ａで示す）でＯＦＦ位置方向にばね付勢されているほか、ハンドル５と開閉機構部３のトグルリンク機構３ｃとの間には伝動経路には転動歯車８とトグル歯車３ａとの噛み合いによる伝達ロスが生じるために、先記の復帰ばね３ｆ（復帰ばね３ｆのばね力は、開閉レバー３ｂの主開閉ばねとの関係から制約されて強いばねは使えない）のばね力だけではロータリー式ハンドル５をトリップ表示位置に制止保持させることが困難である。
【００１５】
そこで、上記問題の対応策として、従来では図５(a),(b) で示すように、ラッチ３ｄ-1をトリップ位置に係止拘束する保持部材９を開閉機構部３の内部に追加装備した構成のものが知られている。すなわち、保持部材９は弾性を有するプラスチック成形品でその先端には鉤形の爪部９ａを形成し、取付座９ｂを介して開閉機構部３のフレーム７の内側に組付けられており、その組付け位置では先端の爪部９ａがラッチ３ｄ-1の先端に形成した爪部３ｇ（ラッチ受けに係止する爪）の移動軌跡に突き出すようにしている。
【００１６】
かかる構成により、回路しゃ断器のトリップ動作時にラッチ３ｄ-1がラッチ受け３ｄ-2（図３，図４参照）から外れ、図示のＯＮ位置（鎖線）からトリップ位置（実線）に回動すると、この回動の終端でラッチ３ｄ-1の先端爪部３ｇが保持部材９を側方に押し退けながら先端爪部９ａを乗り越え、爪部９ａに引っ掛かっりこの位置で係止保持される。これにより、ラッチ３ｄ-1と連結ピン３ｅ，トグルリンク３ｃ-1、トグル歯車３ａ，および駆動歯車８を介して機械的に連繋するロータリー式ハンドル５は、付勢ばね３ｆのばね力も加わって図５(a) に示す位置（図４(c) のトリップ位置に対応する）に制止保持されてトリップ位置を表示する。なお、トリップ動作後のリセット操作でハンドル５をＯＦＦ位置に回すと、その操作力によりラッチ３ｄ-1は保持部材９の爪部９ａを前記と逆方向に乗り越えてリセット位置に移動する。
【００１７】
【発明が解決しようとする課題】
ところで、前記のように回路しゃ断器のトリップ動作時にロータリー式ハンドルをトリップ表示位置に制止保持する従来構造のトリップ表示装置では、設置スペース，および信頼性の面で次記のような課題がある。すなわち、
(1) 図５において、トリップ位置に揺動したラッチ３ｄ-1を保持部材９の爪部９ａに係止保持させるには、その揺動過程でラッチの先端爪部３ｇが保持部材９の爪部９ａを乗り越えるために保持部材自身を側方に撓み変形させるに要するスペースＷを開閉機構部３の内部に確保しておく必要となるが、ロータリー式ハンドルおよびロッカー式ハンドルに互換性を持たせて標準化した前記構成の開閉機構部３は、ラッチ機構を含めてトグルリンク機構，開閉レバーなどの各部品が殆ど隙間なくフレーム７の内部に組付けられている。
【００１８】
このために、ロータリー式ハンドルを採用した回路しゃ断器の開閉機構部に対して、その内部機構との不要な干渉を避けて前記保持部材９を開閉機構部３の内部に追加装備することが難しい。また、あらかじめ保持部材９の設置スペースを確保するように開閉機構部を設計すると、開閉機構部３の外形寸法が大きくなって回路しゃ断器が大形化するといった問題もある。
【００１９】
(2) 図５において、保持部材９自身には、ロータリー式ハンドル５の復帰ばね５ａのばね力に打ち勝ってラッチ３ｄ-1をトリップ位置に拘束するばね力が要求されるが、従来構造の保持部材（プラスチック製）９は経年変化，周囲温度の繰り返し変化による弾性（ばね性）の劣化、および繰り返し動作による爪部９ａの磨耗などが原因で長期に亘り安定した保持機能，高い信頼性を維持させることが難しい。
【００２０】
本発明は上記の点に鑑みなされたものであり、ロータリー式ハンドル，ロッカー式ハンドルに互換性を持たせて標準化した開閉機構部にロータリー式ハンドルを採用した回路しゃ断器を対象に、トリップ動作時にロータリー式ハンドルをＯＮ位置とＯＦＦ位置との中間に設定したトリップ表示位置に停止させるためのトリップ表示手段として、前記開閉機構部の内部機構および遊びスペースを巧みに利用してトリップ保持部材を簡単に後付け装着できるようにした省スペース，高信頼性のトリップ表示装置を提供することを目的とする。
【００２１】
【課題を解決するための手段】
上記目的を達成するために、本発明によれば、主回路接点の開閉機構部が、そのフレームにロータリー式の開閉操作用ハンドルと歯車を介して伝動連結したトグル歯車、該トグル歯車と主接点開閉レバーとの間を連繋するトグルリンク機構、および該トグルリンク機構と過電流引外し装置との間を連繋するラッチおよびラッチ受けからなるラッチ機構を組付け、過電流引外し装置の動作に応動してラッチを釈放し、主回路接点をトリップ動作させるようにした回路しゃ断器に適用し、トリップ動作時に前記ロータリー式ハンドルをＯＮ位置とＯＦＦ位置の中間に設定したトリップ表示位置に停止させるようにした回路しゃ断器のトリップ表示装置において、
ロータリー式ハンドルをトリップ表示位置に制止させる手段として、前記ラッチとトグルリンク機構との間に架け渡した連結ピンをトリップ動作位置に拘束保持してハンドルをトリップ表示位置に制止させる板状のトリップ保持部材を後付け部品として用意し、該トリップ保持部材を開閉機構部のフレーム壁面とその内部機構との間の隙間に挿入して定位置に装着（請求項１）するものとし、具体的には次記のような態様で構成する。
【００２２】
(1) トリップ保持部材を、弾性を有する板材の下端にラッチと連動する連結ピンの移動軌跡に突き出す係合突起を形成し、かつ板材の板面には左右方向のスリット状溝を形成して上下方向にばね性を付与した構造となし、開閉機構部のフレーム壁面に沿わせてその内部機構との間に介装して定位置に装着する（請求項２）。
【００２３】
(2) 前項(1) において、トリップ保持部材の板材に開閉機構部への介装位置でラッチの支軸上に係合する位置用の支持アームを形成し、該支持アームを介してトリップ保持部材を開閉機構部内の定位置に組付ける（請求項３）。
(3) トリップ保持部材のばね性が周囲温度，経年変化で劣化したり、繰り返し荷重による係合突起の磨耗を防止して耐久性，信頼性を確保するために、トリップ保持部材を金属板で構成する（請求項４）。
【００２４】
上記の構成において、板状になるトリップ保持部材は板厚１mm程度の薄い板材で作られており、ロータリー式ハンドルを採用する回路しゃ断器の組立工程で、組立状態にある開閉機構部に対しそのフレームとその内部機構との間の遊び隙間を利用してここに挿入セットすることで、所定位置へ簡単に後付け装着できる。また、保持部材はその板材の材質が金属，プラスチックでも同等なトリップ表示機能を発揮できるが、特に金属製とすれば、経年，周囲温度変化によるばね性の劣化、および繰り返し動作による磨耗のおそれもなく、これにより長期安定した耐久性と信頼性が確保できる。
【００２５】
【発明の実施の形態】
以下、本発明の実施の形態を図１，図２に示す実施例に基づいて説明する。なお、実施例の図中で図３，図４に対応する部材には同じ符号を付してその説明は省略する。
すなわち、図示実施例においては、ロータリー式ハンドル５に対するトリップ表示手段として、図５で述べた従来の保持部材９に代えて薄板材で作られたトリップ保持板１０が開閉機構部３（図３に示した開閉機構部と同じ構造）のフレーム７とその内側に組付けられている内部機構（トグル歯車３ａ，トグルリンク機構３ｃ，ラッチ３ｄ-1）との間に残る僅かな遊び間隙に介装，装着している。
【００２６】
また、このトリップ保持板１０は板厚が１mm以下の薄い金属板を素材として、図１(c) で示すように板材の下端中央に下向きに突き出す爪状の係合突起１０ａを形成し、かつ板材の板面には前記突起１０ａを含む下縁に沿って左右方向に延在するスリット状溝１０ｂを開口して上下方向にばね性を付与し、さらに上部側に支持アーム１０ｃおよびエンボス状の支持突起１０ｄをプレス加工により形成した構造になる。
【００２７】
そして、図１(a),(b) に示した開閉機構部３に装着した状態では、前記支持アーム１０ｃがラッチ機構３のラッチ３ｄ-1を軸支したトグル歯車３ａの支軸３ａ-1を挟持してその軸上に保持し、かつ板材の下端側に形成した係合突起１０ａがラッチ機構３ｄのラッチ３ｄ-1と連動するＵ字形連結ピン３ｅの移動経路に突き出すように位置決めして装着されている。
【００２８】
ここで、前記トリップ保持板１０の装着手順を図２(a),(b) で説明する。まず図２(a) のように、開閉機構部３の上方側から支軸３ａ-1を上下から挟み込むようにフレーム７の内壁面に沿わせて斜め姿勢に差し込み、続いて水平姿勢に戻した上で、図２(b) のように奥に押し込ん支軸３ａ-1を支持アーム１０ｂで挟持し、同時に板材に形成したエンボス状の突起１０ｄをあらかじめ位置決めしてフレーム７の側壁に穿孔した嵌合穴７ｄに嵌合して固定する。
【００２９】
次に、前記構成によるロータリーハンドル５のトリップ表示動作を図１(c) で説明する。すなわち、図４(a) 〜(c) で述べたように、回路しゃ断器のＯＮまたはＯＦＦ状態では、ラッチ機構３ｄのラッチ３ｄ-1がラッチ受け３ｄ-2に係止しており、したがってラッチｄ-1に一端を連結したＵ字形連結ピン３ｅの上端軸部は図１(c) に表した位置I に停止している。この状態ではトリップ保持板１０の係合突起１０ａと連結ピン３ｅとは離脱して干渉することがない。
【００３０】
一方、回路しゃ断器がトリップ動作すると、ラッチ３ｄ-1はラッチ受け３ｄ-2から外れて時計方向に回動し、この動きに連動して連結ピン３ｅが図４(c) 位置に移動する。つまり、図１(c) において、連結ピン３ｅが位置I からIIを経てトリップ位置III に向けて矢印方向に移動する。これにより、連結ピン３ｅは移動途中の位置IIでトリップ支持板１０の係合突起１０ａを上方に押し退けながら乗り越え、終端位置III で係合突起１０ａの下側に潜り込むとともに、トリップ保持板自身の撓みばね力で上方から押さえ込まれてこの位置に係止保持される。
【００３１】
この結果、連結ピン３ｅの他端と結合したトグルリンク３ｃ-1，該トグルリンク３ｃ-1とピン結合したトグル歯車３ａ，およびトグル歯車３ａと噛み合った伝動歯車８を介して開閉機構部３に連繋したロータリー式ハンドル５（ハンドル５はハンドル自身に組付けたばね力の弱い復帰ばね５ａでＯＦＦ方向に付勢されている）は、先記した付勢ばね３ｆ（図４参照）のばね力も加わってＯＮ位置とＯＦＦ位置の中間のトリップ表示位置に制止してトリップ動作状態を表示する。
【００３２】
なお、トリップ動作後に回路しゃ断器を再投入する過程でハンドル５をＯＦＦ位置に回してリセット操作すると、ラッチ３ｄ-1の連結ピン３ｅは図１(c) の位置III からトリップ保持板１０の係合突起１０ａを乗り越えて位置I に復帰し、ラッチ受け３ｄ-2に係合してリセットされ、続いてハンドル５をＯＮ位置に回すと図４で述べたように主回路接点が閉成する。
【００３３】
なお、回路しゃ断器の操作ハンドルにロッカー式ハンドルを採用して、そのハンドルを開閉機構部３に直接取付けた回路しゃ断器では、先述のように開閉機構部に組付けた付勢ばね３ｆでトリップ表示を行うことができるので、トリップ保持板１０は必要ない。
【００３４】
【発明の効果】
以上述べたように、本発明によれば、操作方式の異なるロータリー式ハンドルとロッカー式ハンドルに互換性を持たせた開閉機構部にロータリー式ハンドルを組合せて装備した回路しゃ断器を対象に、トリップ動作時にロータリー式ハンドルをＯＮ位置とＯＦＦ位置の中間に設定したトリップ表示位置に停止させるためのトリップ表示手段として、開閉機構部に組付けたラッチとトグルリンク機構との間に架け渡した連結ピンをトリップ動作位置に拘束保持してハンドルをトリップ表示位置に制止させる板状のトリップ保持部材を後付け部品として用意し、該トリップ保持部材を開閉機構部のフレーム壁面とその内部機構との間の隙間に挿入して定位置に装着するようにしたことにより、
開閉機構部の設計変更を要せず、かつその内部機構との不要な干渉なしに、トリップ保持部材を簡単に開閉機構部に後付けし、ロータリー式ハンドルをトリップ表示位置に制止して回路しゃ断器のトリップ表示を行うことができる。また、この板状のトリップ保持部材を金属製とすることで、経年，周囲温度変化によるばね性の劣化、および繰り返し動作による磨耗のおそれもなく、これにより長期安定した耐久性と信頼性の確保が図れるなど、実用的価値の高い回路しゃ断器のトリップ表示装置を提供することができる。
【図面の簡単な説明】
【図１】本発明の実施例の構成図であり、(a),(b) はそれぞれトリップ保持部材を組み込んだロータリー式ハンドル付き回路しゃ断器の要部の正面図および側視断面図、(c) は(a) におけるトリップ保持板の動作説明図
【図２】図１に示したトリップ保持板を開閉機構部に装着する際の組立手順を表した説明図であり、(a),(b) は組立工程の前半，後半の状態を表す図
【図３】本発明の実施対象となる回路しゃ断器の構成図であり、(a) は全体の略示正面図、(b) は(a) の開閉機構部を表した側視断面図、(c) は開閉機構部とロータリー式ハンドルとの連繋構造を表した斜視図、(d) は(a) における主回路しゃ断部の内部構造を表す断面図
【図４】図３の回路しゃ断器の動作説明図であり、(a),(b),(c) はそれぞれＯＮ，ＯＦＦ，トリップ状態を表す図
【図５】従来におけるトリップ表示装置の構成，動作の説明図であり、(a) は回路しゃ断器の開閉機構部に組付けたの正面図、(b) はその保持動作を表した側面図
【符号の説明】
１    しゃ断器ケース
２    しゃ断部
３    開閉機構部
３ａ  トグル歯車
３ａ-1  トグル歯車の支軸
３ｂ  開閉レバー
３ｃ  トグルリンク機構
３ｃ-1，３ｃ-2  トグルリンク
３ｄ  ラッチ機構
３ｄ-1  ラッチ
３ｄ-2  ラッチ受け
３ｅ  Ｕ字形連結ピン
４    引外し装置
５    ロータリー式ハンドル
６    伝動歯車機構
７    開閉機構部のフレーム
１０    トリップ保持板（トリップ保持部材）
１０ａ  係合突起
１０ｂ  スリット状溝
１０ｃ  支持アーム
１０ｄ  支持突起
【図１】
0004720059.tif 000002
【図２】
0004720059.tif 000003
【図３】
0004720059.tif 000004
【図４】
0004720059.tif 000005
【図５】
0004720059.tif 000006